(57)【要約】      （修正有）【課題】  視度調整機構を備えたビューファインダにおいて、視度調整レンズを汚さず、かつ難しい作業を必要とすることなく視度調整機構を組み立てることのできるビューファインダを実現する。【解決手段】  キャビネット８４の内部に設けられたガイド部に沿って光軸方向に移動可能に組み付けられる視度調整レンズ９０と、この視度調整レンズ９０を一方向に付勢するバネ部材１００と、キャビネット８４に回転可能に組み付けられる視度調整操作部材１０２と、視度調整レンズ９０と視度調整操作部材１０２との間に構成されるカム機構と、を有してなる視度調整機構を備え、ここで視度調整機構は、視度調整操作部材１０２を先にキャビネット８４に組み付け、後からバネ部材１００及び視度調整レンズ９０をキャビネット８４組み付けて構成されるものとする。【選択図】  図１４
2005191702.tif 000002
【特許請求の範囲】
【請求項１】
キャビネットの内部に設けられたガイド部に沿って光軸方向に移動可能に組み付けられる視度調整レンズと、前記視度調整レンズを一方向に付勢するバネ部材と、前記キャビネットに回転可能に組み付けられる視度調整操作部材と、前記視度調整レンズと前記視度調整操作部材との間に構成されるカム機構と、を有してなる視度調整機構を備え、
前記視度調整機構は、前記視度調整操作部材を先に前記キャビネットに組み付け、後から前記バネ部材及び前記視度調整レンズを前記キャビネットに組み付けることを可能に構成されることを特徴とする撮像装置のビューファインダ。
【請求項２】
前記視度調整操作部材は、前記カム機構を構成するカムピンを有し、前記視度調整レンズの組み付け時には、前記視度調整操作部材を前記カムピンが前記視度調整レンズの組み付けの障害とならない回転位置にしておき、前記視度調整レンズの組み付け後、前記視度調整操作部材を回転させて前記カムピンを前記視度調整レンズに係合させる構造としたことを特徴とする請求項１に記載の撮像装置のビューファインダ。
【請求項３】
前記キャビネットに、前記カムピンが当接して前記視度調整操作部材の規定範囲外の回転を規制する規制部を設けたことを特徴とする請求項２に記載の撮像装置のビューファインダ。
【発明の詳細な説明】
【技術分野】
【０００１】
本発明は、撮像装置のビューファインダに関し、特に視度調整機構を備えたビューファンダの構造に係るものである。
【背景技術】
【０００２】
ビデオカメラ等の撮像装置に搭載されるビューファインダには、使用者の視力に合わせて視度を可変調整できる視度調整機構が備えられている。従来、この視度調整機構を備えたビューファインダとしては、例えば下記の特許文献１に記載されるようなものがある。
【０００３】
即ちこの特許文献１に開示される視度調整機構は、キャビネットの内部に設けられたガイド部に沿って光軸方向に移動可能に組み付けられる視度調整レンズと、この視度調整レンズを一方向に付勢するバネ部材と、キャビネットに回転可能に組み付けられる視度調整操作部材と、視度調整レンズと視度調整操作部材との間に構成されるカム機構と、を有して構成され、視度調整操作部材を回転操作することにより、その操作力がカム機構を介して視度調整レンズに伝達されて視度調整レンズが光軸方向に移動し、これによってビューファインダの視度が調整されるようになっている。
【特許文献１】特開平８−６５５５２号公報
【発明の開示】
【発明が解決しようとする課題】
【０００４】
従来この視度調整機構は、先にバネ部材と視度調整レンズをキャビネットに組み付け、その後に視度調整操作部材をキャビネットに組み付けて構成していた。この構成では、視度調整レンズを先に組み付けるため、視度調整操作部材の組み付け時に視度調整レンズにゴミが付着してレンズが汚れ易いという問題がある。視度調整レンズにゴミが付着したままビューファインダが組み立てられると、ゴミがレンズによって拡大されて見えるので、ごく小さいゴミでも目障りとなり、そのビューファインダは不良品となってしまう。また視度調整操作部材の組み付け時には、バネ部材の力に抗して視度調整レンズを押さえながら視度調整操作部材を組み付けるという難しい作業が必要となるため、組み立て効率が悪いという問題もある。
【０００５】
本発明はこのような問題点に鑑みてなされたもので、視度調整機構を備えたビューファインダにおいて、視度調整レンズを汚さず、かつ難しい作業を必要とすることなく視度調整機構を組み立てることのできるビューファインダを実現することを目的としている。
【課題を解決するための手段】
【０００６】
前記の目的を達成するため本発明は、キャビネットの内部に設けられたガイド部に沿って光軸方向に移動可能に組み付けられる視度調整レンズと、この視度調整レンズを一方向に付勢するバネ部材と、キャビネットに回転可能に組み付けられる視度調整操作部材と、視度調整レンズと視度調整操作部材との間に構成されるカム機構と、を有してなる視度調整機構を備えたビューファインダにおいて、視度調整機構は、視度調整操作部材を先にキャビネットに組み付け、後からバネ部材及び視度調整レンズをキャビネットに組み付けることを可能に構成されるものとする。
この構成において、視度調整操作部材は、カム機構を構成するカムピンを有し、視度調整レンズの組み付け時には、視度調整操作部材をカムピンが視度調整レンズの組み付けの障害とならない回転位置にしておき、視度調整レンズの組み付け後、視度調整操作部材を回転させてカムピンを視度調整レンズに係合させる構造とする。
【発明の効果】
【０００７】
本発明は、視度調整操作部材を先にキャビネットに組み付けておき、視度調整レンズを後からキャビネットに組み付けることを可能に構成したことにより、従来のように視度調整レンズを先に組み付ける構成に比べて、視度調整レンズにゴミが付着するおそれが少なく、レンズが汚れにくいという効果がある。また従来のようにバネ部材の力に抗して視度調整レンズを押さえながら視度調整操作部材を組み付けるという難しい作業を行わずに済むので、組み立て効率が向上する効果もある。
【発明を実施するための最良の形態】
【０００８】
以下、図面を参照しながら本発明の実施例について詳細に説明する。
先ず、本発明が適用される撮像装置の構成を説明する。図１〜図４は撮像装置の一実施例を示す斜視図、正面図、平面図及び側面図、図５は表示装置を開いた後方からの斜視図、図６はディスク側の後方から見た斜視図、図７はディスク蓋を開いた前方からの斜視図、図８は同じくディスク状記録媒体を装着した状態の斜視図、図９は同じく側面図、図１０は撮像装置を把持した状態の説明図である。
【０００９】
この撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、本発明のディスク状記録媒体としては、ＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。
【００１０】
このディスク式撮像装置１は、着脱自在に装着されるＤＶＤ２を回転駆動して情報信号の記録（書き込み）及び再生（読み出し）を行うディスクドライブ装置３（図７〜図９を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００１１】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が４箇所に設けられたマウントインシュレータを介して弾性的に支持されている。これらのパネル８〜１２は、互いに重ね合わされた適当な部分において、或いは他の部材を介して固定ネジからなる固着手段によって組立・分解可能に構成されている。
【００１２】
レンズ装置４は、外装ケース５の上部に内蔵された状態で固定されていて、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００１３】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができる。
【００１４】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されていて、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００１５】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００１６】
図５及び図６に示すように、外装ケース５のリアパネル１２には、電源バッテリー２４が着脱自在に装着されるバッテリー装着部２５が設けられている。バッテリー装着部２５は、リアパネル１２の背面及び下面に開口されていて、電源バッテリー２４を下方から差し込んで装着し、同方向へ取り外し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは右サイドの上部に配置され、他方の支持金具２６ｂは左サイドの下部に配置されている。
【００１７】
図４及び図５に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００１８】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１〜図４に示す収納状態と、図５に示すパネルケース３０を９０度回動させて液晶モニタ２９を後方へ対向させた状態と、図５の状態からパネルケース３０を１８０度回動させて液晶モニタ２９を前方へ対向させた状態と、それらの中間位置の状態とを任意に取ることができる。
【００１９】
更に、表示装置側パネル１０には、パネルケース３０によって開閉自在に覆われる多数の操作ボタンからなる内側操作部３２と、パネルケース３０の上方に配された複数の操作ボタンからなる外側操作部３３が設けられている。
【００２０】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。
【００２１】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００２２】
この実施例で示すディスク蓋７は、外周縁一周の略５／６（約３００度）が円形（円形部分は全体の略３／４以上あれば良い。）とされたシェル形をなしていて、残りの部分が直線からなる方形部７ｃとされている。この方形部７ｃには、ディスク蓋７を開閉動作させるための回動中心となる蓋回動軸部３９が取り付けられている。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパ部が設けられている。
【００２３】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００２４】
このディスク側パネル８と重ね合わされる中央部パネル９の上面部の略中央部から前面部の下部に亘る部分には、内側となる表示装置側パネル１０側に傾斜させることによって凹部となるくびれ４２が設定されている。このくびれ４２を有するディスク側パネル８及び中央部パネル９の円弧状をなす部分によってディスク式撮像装置１を握って保持するためのグリップ部４３が構成されている。
【００２５】
このような中央部パネル９とディスク側パネル８の間には、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。
【００２６】
また、図３及び図６等に示すように、ディスク側パネル８には、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００２７】
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００２８】
図６等に示すように、ディスク側パネル８の後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００２９】
更に、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００３０】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。
【００３１】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成される。
【００３２】
図３に示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータを介して仕切りパネルに弾性的に支持されている。
【００３３】
このように仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータと、このスピンドルモータの回転部に固定されたターンテーブル３６とから構成されている。
【００３４】
ターンテーブル３６は、ＤＶＤ２のセンタ穴が嵌合される嵌合部３６ａと、センタ穴の周縁部が載置される載置部３６ｂとからなっている。更に、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００３５】
また、光学ピックアップ装置７１は、ＤＶＤ２の情報記録面に対向されるピックアップレンズ７４ａを有する二軸アクチュエータ７４と、この二軸アクチュエータ７４が搭載されたスライド部材７５等を備えて構成されている。スライド部材７５は、図に表れない２本のガイド軸にガイドされて移動可能とされている。２本のガイド軸は、スピンドルモータを挟んで互いに平行とされており、一方のガイド軸の近傍にピックアップ移動装置が設けられている。
【００３６】
図示しないが、ピックアップ移動装置は、スライド部材７５に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置とその他の関連機構とによってディスクドライブ装置３が構成されている。
【００３７】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構によって行われる。
【００３８】
蓋開閉機構は、図７に示すように、ディスク蓋７に固定されるロック部材４６と、ディスク側パネル８側の部材であるベースプレートに摺動可能に取り付けられる操作部材４７等から構成されている。ロック部材４６は、一対のロック爪４６ａ，４６ｂによりなり、ディスク蓋７を閉じたときにはこのロック爪４６ａ，４６ｂがディスク側パネル８の前面部に形成された挿入孔５７ａ，５７ｂに挿入された状態でロックが行われ、このディスク蓋７のロックは、操作部材４７をスライド操作することによって解除されるようになっている。
【００３９】
このようにディスク蓋７が開閉されるディスク式撮像装置１によれば、例えば、図１０に示すような状態でディスク式撮像装置１を片手でしっかりと把持して被写体を撮影することができる。この場合、外装ケース５のディスク側パネル８及びディスク蓋７の部分がそのままディスク式撮像装置１を握るための把持部となっており、しかも、その把持部の略全体が略円形に形成されているため、大きなグリップ部４３で安定した撮影が可能となった。
【００４０】
また、グリップ部４３の内側にはくびれ４２が設定されているため、そのくびれ４２に人差し指から小指までの各先端部を掛けて握ることにより、十分に大きな把持力を生じさせることができる。更に、グリップ部４３の内側に設定された空間領域に蓋開閉機構４５が収納されているため、外装ケース５内の空間領域を無駄なく利用できるようになった。そのため、外装ケース５内の空き領域を無くすことによって当該外装ケース５の小型化が可能となり、その結果、装置全体の小型化が可能となった。
【００４１】
続いて、図１１以降を参照し、本発明の要部であるビューファインダについて説明する。
図１１はビューファインダの斜視図である。このビューファインダ１６は、その内部に組み込まれている液晶表示装置の表示画面を後端の接眼部１６ａから覗いて見るものである。ここでビューファインダ１６は、外装ケース５に固定される基台８１に対し前後方向に移動可能で、かつ上下方向に起伏回動可能に装着されており、使用者が使い易い移動位置及び起伏角度に調整できるようになっている。
【００４２】
このビューファインダ１６のキャビネットは、ベースキャビネット８２とファインダキャビネット８３及びアイカップキャビネット８４を組み合わせて構成されており、ここでベースキャビネット８２の内部に液晶表示装置が組み込まれ、その表示画面に対する視度(ピント)を使用者の視力に合わせて調整するための視度調整機構がアイカップキャビネット８４の内部に組み込まれている。
以下、この視度調整機構について詳細に説明する。図１２はビューファインダの視度調整機構部の外観を示す斜視図、図１３は視度調整機構部のキャビネットを分割した状態の斜視図、図１４は視度調整機構部の分解斜視図、図１５は視度調整機構部の一部切り欠いた正面図、図１６は図１５のＡ−Ａ線断面図、図１７は視度調整機構部の縦断側面図、図１８は視度調整機構部の横断下面図、図１９は視度調整機構部の正面図、図２０〜図２２は視度調整機構部の組み付けの説明図、図２３はレンズホルダの斜視図、図２４は視度調整つまみの斜視図、図２５は視度調整レバーの斜視図である。
【００４３】
図１２〜図１４に示すように、アイカップキャビネット８４は、接眼部１６ａの開口に透明カバー８５が嵌め込まれ、これを押さえ部材８６によって固定している。押さえ部材８６は両側にフック片８６ａを有し、図１８に示す如くこのフック片８６ａをアイカップキャビネット８４の固定孔８７に挿入係合して固定する。
【００４４】
視度調整機構は、アイカップキャビネット８４の内部に設けられたガイド部に沿って光軸方向に移動可能に組み付けられる視度調整レンズ９０と、この視度調整レンズ９０を一方向に付勢するバネ部材１００と、アイカップキャビネット８４に回転可能に組み付けられる視度調整操作部材１０２と、視度調整レンズ９０と視度調整操作部材１０２との間に構成されるカム機構と、を有して構成されている。
【００４５】
視度調整レンズ９０は、図１４に示すように、レンズ本体９１と、このレンズ本体９１を保持するレンズホルダ９２と、により構成される。レンズホルダ９２は、図２３に示すような枠体によりなり、その両側に固定孔９３を有し、この固定孔９３にレンズ本体９１の両側部に突設された凸部９１ａを嵌め込んで固定する。またこのレンズホルダ９２には、一側部の下方に軸受ボス部９４が設けられ、これと対角の上方に軸受枠部９５が設けられており、レンズホルダ９２はこの軸受ボス部９４と軸受枠部９５においてアイカップキャビネット８４のガイド部に移動可能に組み付けられる。
【００４６】
ガイド部は、アイカップキャビネット８４に圧入固定されるガイド軸９８と、アイカップキャビネット８４に一体に突設されるガイドレール９９と、によりなり、図１９に示すように、レンズホルダ９２の軸受ボス部９４にガイド軸９８が挿通され、軸受枠部９５にガイドレール９９が挿通される。なお、ここでガイドレール９９は、図１８に示すように、先端部９９ａが二股状でかつフック状に形成されており、レンズホルダ９２はこの先端部９９ａのフック状部分に軸受枠部９５が係合することよってアイカップキャビネット８４からの脱落が防止されるようになっている。
【００４７】
更にレンズホルダ９２は図２３に示す如く、その一側部に、カム機構を構成するカム面部９６を有し、このカム面部９６に後述するカムピンが当接係合される。ここでカム面部９６は、レンズホルダ９２の全体高さの半分程度の高さまで形成されており、その上方は切り欠き９７となっている。
【００４８】
バネ部材１００は、図１４及び図１６に示すようなコイルバネによりなり、ガイド軸９８に通してアイカップキャビネット８４とレンズホルダ９２との間に組み込まれ、このバネ部材１００の弾性力によって視度調整レンズ９０は、ファインダキャビネット８３側に向かって付勢されている。
【００４９】
視度調整操作部材１０２は、図１４に示すように、視度調整レンズ９０の移動方向と直交する方向に回転軸を有する視度調整つまみ１０３と、この視度調整つまみ１０３に固定される調整レバー１０４と、により構成される。視度調整つまみ１０３は、図１２及び図１３に示すように、アイカップキャビネット８４の側面に表出し、これを回転操作することで視度が調整される。図１４に示す如く、視度調整つまみ１０３は、その軸部１０３ａにおいてアイカップキャビネット８４の軸受孔１０５に回転可能に組み付けられ、ここで視度調整つまみ１０３とアイカップキャビネット８４の間にはゴム製のОリング１０６が組み込まれて視度調整つまみ１０３に所要の回転摩擦力を付与している。
【００５０】
調整レバー１０４は、図１４に示す如くＣ字形に形成され、これをアイカップキャビネット８４の内側において視度調整つまみ１０３の軸部１０３ａの先端１０３ｂに嵌め込んで固定する。この調整レバー１０４にはカムピン１０４ａが突設されており、図２２に示すように、このカムピン１０４ａがレンズホルダ９２のカム面部９６に当接係合してカム機構を構成している。
【００５１】
図２４及び図２５に示すように、視度調整つまみ１０３の軸部１０３ａの先端１０３ｂには一対の凸部１０８ａ，１０８ｂが形成され、これに対応して調整レバー１０４には凹部１０９ａ，１０９ｂが形成されており、視度調整つまみ１０３の軸部１０３ａの先端１０３ｂに調整レバー１０４を嵌め込んだ状態では、この凸部１０８ａ，１０８ｂと凹部１０９ａ，１０９ｂが係合することによって調整レバー１０４は視度調整つまみ１０３に対し回転することなく確実に固定される。
【００５２】
更に、視度調整つまみ１０３の軸部１０３ａの先端１０３ｂには、誤装着防止突起１１０が設けられている。この誤装着防止突起１１０は、凸部１０８ａと１０８ｂの間の片側にのみ設けられており、この誤装着防止突起１１０の反対側から調整レバー１０４を嵌め込むのが正しい固定方法である。これと逆の方向、即ち誤装着防止突起１１０の側から調整レバー１０４を嵌め込もうとすると、調整レバー１０４の突部１１１が誤装着防止突起１１０に当たる状態となり、調整レバー１０４を嵌め込むことができない。こうして調整レバー１０４の誤装着が防止され、調整レバー１０４を正しく視度調整つまみ１０３に固定することができる。
【００５３】
また、図１３及び図１７に示すように、ファインダキャビネット８３には、視度調整つまみ１０３の回転規制手段となる規制突起１１２がカムピン１０４ａに対応して設けられており、後述するようにこの規制突起１１２にカムピン１０４ａが当接することによって視度調整つまみ１０３の規定範囲外の回転が規制される構造となっている。
【００５４】
以上の如く構成される視度調整機構では、バネ部材１００の力によってレンズホルダ９２のカム面部９６が常にカムピン１０４ａに押し当てられている。そして、この状態で視度調整つまみ１０３が回転操作されると、これと一体に調整レバー１０４が回転し、この調整レバー１０４のカムピン１０４ａがレンズホルダ９２のカム面部９６を押し引きすることによって視度調整レンズ９０がガイド軸９８及びガイドレール９９に沿ってレンズ本体９１の光軸方向に移動され、視度が調整される。
【００５５】
この調整操作において、視度調整つまみ１０３が規定範囲まで回転されると、図１７に示すように調整レバー１０４のカムピン１０４ａが規制突起に当接し、これによって視度調整つまみ１０３のそれ以上の回転が規制される。こうして視度調整つまみ１０３の規定範囲外の回転が規制突起１１２で規制されることにより、調整レバー１０４のカムピン１０４ａがレンズホルダ９２のカム面部９６から外れてしまうことはないので、視度調整機構の確実な動作が保証される。
【００５６】
次に、以上の如く構成される視度調整機構の組み付け手順について説明する。
この視度調整機構は、視度調整操作部材１０２を先にキャビネット８４に組み付け、後からバネ部材１００及び視度調整レンズ９０をアイカップキャビネット８４に組み付けて構成される。これを更に詳細に説明すると、先ず、視度調整つまみ１０３の軸部１０３ａをアイカップキャビネット８４の外側から軸受孔１０５に通し、その後アイカップキャビネット８４の内側から視度調整つまみ１０３の軸部１０３ａの先端１０３ｂに調整レバー１０４を嵌め込んで固定する。なお、このときОリング１０６は視度調整つまみ１０３の軸部１０３ａに予め嵌めておく。
【００５７】
こうして視度調整操作部材１０２をアイカップキャビネット８４に組み付けた後、図２０に示す如く、アイカップキャビネット８４のガイド軸９８にバネ部材１００を通して組み付け、それから図２１に示すように視度調整レンズ９０をアイカップキャビネット８４のガイド軸９８及びガイドレール９９に組み付ける。
【００５８】
このとき、視度調整操作部材１０２は、調整レバー１０４のカムピン１０４ａが視度調整レンズ９０の組み付けの障害とならない回転位置にしておく。本例では、カムピン１０４ａが最上部即ち１２時の位置にある状態とし、この状態では図１９及び図２１に示すように、レンズホルダ９２の切り欠き９７の部分がカムピン１０４ａに対する逃げとなるため、カムピン１０４ａが障害となることなく視度調整レンズ９０をスムーズに組み付けることができる。
この組み付け後に視度調整レンズ９０は、レンズホルダ９２の軸受枠部９５がガイドレール９９の先端部９９ａのフック状部分に係合することにより、アイカップキャビネット８４から脱落しないように保持される。そしてその状態から、図２２に示すように、視度調整つまみ１０３を回転させてカムピン１０４ａをレンズホルダ９２のカム面部９６に当接係合させる。
【００５９】
更にその後、アイカップキャビネット８４にファインダキャビネット８３を組み合わせ、これをネジ１１４によって固定する。このようにアイカップキャビネット８４にファインダキャビネット８３を組み合わせることで、図１７に示すようにファインダキャビネット８３の規制突起１１２がカムピン１０４ａに対応し、視度調整つまみ１０３の回転規制手段として機能する。
【００６０】
以上の如くして組み立てられる視度調整機構は、視度調整操作部材１０２を先にキャビネットに組み付けておき、視度調整レンズ９０を後からキャビネットに組み付けるように構成したことにより、従来のように視度調整レンズを先に組み付ける構成に比べて、視度調整レンズ９０にゴミが付着するおそれが少なく、レンズが汚れにくいという利点がある。また従来のようにバネ部材１００の力に抗して視度調整レンズ９０を押さえながら視度調整操作部材１０２を組み付けるという難しい作業を行わずに済むので、組み立て効率が向上する利点もある。
【００６１】
なお、本例の視度調整機構は、視度調整操作部材１０２と視度調整レンズ９０の組み付け手順を以上と逆、即ち視度調整レンズ９０を先にキャビネットに組み付けておき、視度調整操作部材１０２を後からキャビネットに組み付けて構成することもできる。
【産業上の利用可能性】
【００６２】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク記録式撮像装置に本発明を適用した例について説明したが、本発明は他にも例えば磁気テープ記録式撮像装置等、各種撮像装置のビューファインダに幅広く適用することができる。
【図面の簡単な説明】
【００６３】
【図１】撮像装置を示す斜視図である。
【図２】撮像装置を示す正面図である。
【図３】撮像装置を示す平面図である。
【図４】撮像装置を示す側面図である。
【図５】撮像装置において、表示装置を側方に開いて背面側から見た斜視図である。
【図６】撮像装置において、電源バッテリーを装着して背面側から見た斜視図である。
【図７】撮像装置において、ディスク蓋を開いて前面側から見た斜視図である。
【図８】撮像装置において、ディスク状記録媒体を装着した状態の斜視図である。
【図９】撮像装置において、ディスク蓋を開いた状態の側面図である。
【図１０】撮像装置のグリップ部を握った使用状態を示す説明図である。
【図１１】本発明が適用されるビューファインダの斜視図である。
【図１２】ビューファインダの視度調整機構部の外観を示す斜視図である。
【図１３】視度調整機構部のキャビネットを分割した状態の斜視図である。
【図１４】視度調整機構部の分解斜視図である。
【図１５】視度調整機構部の一部切り欠いた正面図である。
【図１６】図１４のＡ−Ａ線断面図である。
【図１７】視度調整機構部の縦断側面図である。
【図１８】視度調整機構部の横断下面図である。
【図１９】視度調整機構部の正面図である。
【図２０】視度調整機構部の組み付けの説明図で、バネ部材を組み付けた状態である。
【図２１】視度調整機構部の組み付けの説明図で、視度調整レンズを組み付けた状態である。
【図２２】視度調整機構部の組み付けの説明図で、視度調整操作部材を視度調整レンズに係合させた状態である。
【図２３】レンズホルダの斜視図である。
【図２４】視度調整つまみの斜視図である。
【図２５】視度調整レバーの斜視図である。
【符号の説明】
【００６４】
１…撮像装置、１６…ビューファインダ、８３…ファインダキャビネット、８４…アイカップキャビネット、９０…視度調整レンズ、９１…レンズ本体、９２…レンズホルダ、９６…カム面部、９８…ガイド軸、９９…ガイドレール、１００…バネ部材、１０２…視度調整操作部材、１０３…視度調整つまみ、１０４…調整レバー、１０４ａ…カムピン、１１２…規制突起(規制部)
【図１】
2005191702.tif 000003
【図２】
2005191702.tif 000004
【図３】
2005191702.tif 000005
【図４】
2005191702.tif 000006
【図５】
2005191702.tif 000007
【図６】
2005191702.tif 000008
【図７】
2005191702.tif 000009
【図８】
2005191702.tif 000010
【図９】
2005191702.tif 000011
【図１０】
2005191702.tif 000012
【図１１】
2005191702.tif 000013
【図１２】
2005191702.tif 000014
【図１３】
2005191702.tif 000015
【図１４】
2005191702.tif 000016
【図１５】
2005191702.tif 000017
【図１６】
2005191702.tif 000018
【図１７】
2005191702.tif 000019
【図１８】
2005191702.tif 000020
【図１９】
2005191702.tif 000021
【図２０】
2005191702.tif 000022
【図２１】
2005191702.tif 000023
【図２２】
2005191702.tif 000024
【図２３】
2005191702.tif 000025
【図２４】
2005191702.tif 000026
【図２５】
2005191702.tif 000027